(57)【要約】【課題】簡単な構成で電池パックを容易に抜き差しできる充電器を提供すること。【解決手段】上記目的を達成するために、充電器に電池パックを抜き差しするときに充電器のハウジングを手でつかむ握り部を設けた構成とし、握り部の位置は、充電器において電池パックを抜き差しする方向線上であって、電池パックを充電器から抜く方向の反対側の充電器のハウジングに設けた構成とする。さらに、握り部はハンドル状であってその開口の大きさが把持用ハンドルの開口よりも小さいこと、または、握り部とハウジングの間に凹みを有していることを特徴としている。【選択図】図３
2010130716.tif 000002
【特許請求の範囲】
【請求項１】
電池パックを充電する充電器において、該電池パックを該充電器から抜き差しするときに該充電器を固定するために手で握ることができる握り部を設けたことを特徴とする充電器。
【請求項２】
該握り部を、該充電器において該電池パックを抜き差しする方向線上であって、該電池パックを該充電器から抜く方向の反対側に設けたことを特徴とする請求項１記載の充電器。
【請求項３】
該握り部はハンドル状であって、その開口の大きさが把持用ハンドルの開口よりも小さいことを特徴とする請求項１又は請求項２記載の充電器。
【請求項４】
該握り部と該充電器のハウジングとの間に凹みを有することを特徴とする請求項１又は請求項２記載の充電器。
【発明の詳細な説明】
【技術分野】
【０００１】
本発明は、充電器にかかり、特に、電池パックの抜き差しが容易な充電器に関するものである。
【背景技術】
【０００２】
図４に示すように特許文献１に開示された従来の充電器においては、充電器２００を把持する把持用ハンドル２６０が設けられ、快適に充電器２００を運搬することが可能となっている。
【０００３】
【特許文献１】特開平２００８−２３６８８１号公報
【発明の開示】
【発明が解決しようとする課題】
【０００４】
しかしながら、電池パックを充電する場合、電池パックだけを持って充電器に抜き差しすることは通常できず、充電器を手で押えて電池パックの抜き差しを行っている。携帯用工具等の電池パックは比較的小さくて軽い物であるが、電動芝刈り機等の電池パックはそれよりも大きくて重くなる傾向にあり、しかも充電器よりも重い場合が多い。このような大きくて重い電池パックを充電器に抜き差しする場合はかなり力を要することとなり、従来の充電器のように充電器のハウジングを手で押えて電池パックを抜き差しするのでは非常に操作性がよくないという問題があった。
【０００５】
本発明は、上記問題を解決するためになされたもので、簡単な構成で電池パックを充電器から操作性良く抜き差しすることが可能となる充電器を提供することを目的とする。
【課題を解決するための手段】
【０００６】
上記目的を達成するために、充電器に電池パックを抜き差しするときに充電器のハウジングを手でつかむ握り部を設けた構成とする。また、握り部は、充電器において電池パックを抜き差しする方向線上であって、電池パックを充電器から抜く方向の反対側の充電器のハウジングに設けた構成とする。さらに、握り部はハンドル状であって、その開口の大きさが把持用ハンドルの開口よりも小さいこと、または、握り部とハウジングの間に凹みを有していることを特徴としている。
【発明の効果】
【０００７】
本発明によれば、握り部を設けたので、電池パックの抜き差し時に充電器のハウジングを容易につかんで固定することができ、便利である。また、本発明によれば、電池パックを充電器から抜く方向の反対側の充電器のハウジングに握り部を設けたので、抜き差し時に力が入りやすく操作性の良い抜き差しが可能となる。さらに、本発明によれば、握り部はハンドル状であって、その開口の大きさが把持用ハンドルの開口よりも小さいので、握り部を把持して充電器を運搬することがなく、充電器に装着している電池パックが運搬時に不用意に落下するということがないという効果を奏する。握り部とハウジングの間に凹みを有している場合も同様の効果がある。
【発明を実施するための最良の形態】
【０００８】
以下に、本発明を添付図面に示す実施形態に基づいて説明する。図１において、１は本発明にかかる充電器で、２は充電される電池パック、３は本発明にかかる充電器の握り部、４は充電器の把持用ハンドルである。図２は図１の平面図と側面図であり、矢印Ａは電池パック２を充電器１から抜き去る方向を示している。
【０００９】
図３は充電器１の平面図と側面図であり、充電器１は、上部ハウジング５ａと下部ハウジング５ｂで形成される箱状のハウジング５内に図示しない充電回路を収めてなるものである。ハウジング５の一方には充電器１を持ち運ぶのに便利なように把持用ハンドル４が形成されている。また、ハウジング５の他方であって把持用ハンドル４の反対側には、充電器１に電池パック２を抜き差しするとき、充電器１を手でつかんで固定しやすいようにハンドル状の握り部３が形成されている。図示しない充電回路からの充電電流や充電時の制御用信号は電池パック取付ホルダー６に形成された端子６ａを通して電池パックの図示しない接続端子に接続されるように構成されている。６ｂは電池パック２を充電器１の電池パック取付ホルダー６に留めるためのフックである。
【００１０】
ハウジング５と把持用ハンドル４との間には把持用開口部４ａがあり、把持用開口部４ａは充電器２を運搬する者がそこに手を入れて把持用ハンドル４を握るための開口であり、貫通した穴として形成されている。同様に、握り部３を握りやすくするためには握り部３とハウジング５の間に開口を設けるのがよく、握り開口部３ａとして図３に表示されている。しかし、握り開口部３ａは把持用開口部４ａのように必ずしも貫通した穴である必要性はない。充電器１を運搬する者が誤って握り部３を握って運搬すると充電器１に電池パック２が装着されている場合は電池パック２が下向きになり装着が不十分であると落下する恐れがある。そのような誤操作をしないように握り開口部３ａは貫通していない凹みであってもよい。同様な理由から握り開口部３ａの開口の大きさは、把持用開口部４ａの開口の大きさより小さいのが望ましい。
【００１１】
次に、本発明の充電器の操作について説明する。電動芝刈り機等の操作者が電池パック２を充電しようとするときは、電池パック２の図示しない接続端子を充電器１の電池パック取付ホルダー６に差し込み、そこに形成された端子６ａと接続することが必要である。この接続を完全なものにするために操作者は、たとえば左手で充電器１の握り部３を握り、右手に持った電池パック２を矢印Ａの反対方向に向けて差し込むようにする。差し込みが完全であると電池パック取付ホルダー６のフック６ｂが電池パック２をしっかり留めるように働く。図１および図２はこのようにして電池パック２を充電器１に装着した状態を表している。
【００１２】
端子間の接続が完了し、図示しない充電スタートスイッチを操作者が操作すると充電が開始される。そして充電が完了すると充電完了ランプ７が点灯し充電完了を操作者に知らせる。
【００１３】
充電が完了した電池パック２を充電器１から取り外すときは、電池パック取付ホルダー６のフック６ｂを外して、たとえば右手で電池パック２をつかみ、左手で充電器１の握り部３を握って電池パック２を矢印Ａの方向へ引っ張るようにすればよく、握り部３をつかむことができるので重い電池パック２であっても容易に充電器１から取り外すことができる。
【００１４】
本発明に係る充電器は、上述した実施の形態に限定されず、特許請求の範囲で記載した範囲で種々の変形や改良が可能であり、電動芝刈り機以外の機器の電池パックを充電する充電器にも適用可能である。
【産業上の利用可能性】
【００１５】
本発明にかかる充電器は、簡単な構成で電池パックを容易に抜き差しできるものであり極めて有用である。
【図面の簡単な説明】
【００１６】
【図１】本実施形態にかかる充電器とその上にセットされた電池パックの斜視図である。
【図２】図１の平面図と側面図である。
【図３】本実施形態にかかる充電器の平面図と側面図である。
【図４】従来の充電器の図である。
【符号の説明】
【００１７】
１      充電器
２      電池パック
３      握り部
３ａ    握り開口部
４      把持用ハンドル
４ａ    把持用開口部
５      ハウジング
６      電池パック取付ホルダー
【図１】
2010130716.tif 000003
【図２】
2010130716.tif 000004
【図３】
2010130716.tif 000005
【図４】
2010130716.tif 000006